(57)【要約】【課題】熱動弁の開故障を適切に検出できる熱供給システムの検査方法を提供する。【解決手段】熱供給システムの検査方法が、加熱手段に熱媒体を供給する個別流路部分１２に設けられる熱動弁Ｖ１を閉じる指令を与えた後、所定時間待機する待機工程と、待機工程の後、加熱手段に熱媒体を供給する個別流路部分１２での熱媒体の温度が、吸込手段が吸い込む浴室内の空気の温度よりも設定値以上高ければ、当該熱動弁Ｖ１が正常に閉じていないと判定する検証工程とを有する。【選択図】図１
2020056543.tif 000002
【特許請求の範囲】
【請求項１】
熱媒体を加熱する熱源機と、
熱媒体が流れる熱媒体循環路とを備え、
熱を消費する熱消費端末に対して、前記熱媒体循環路を介して熱媒体を供給できるように構成されている熱供給システムの検査方法であって、
前記熱媒体循環路は、前記熱消費端末を経由させずに熱媒体を循環させることができる共通流路部分と、当該共通流路部分から複数の前記熱消費端末に向けて分岐し、途中に熱動弁がそれぞれ設けられる複数の個別流路部分とを有し、
複数の前記熱消費端末のうちの一つは、浴室内の空気を加熱できる浴室内加熱装置であり、
前記浴室内加熱装置は、前記浴室内の空気を吸い込む吸込手段と、前記個別流路部分を通して供給される熱媒体が保有する熱を用いて、前記吸込手段が吸い込んだ空気を加熱できる加熱手段と、前記吸込手段が吸い込み、前記加熱手段が加熱した空気を前記浴室内に吹き出すことができる吹出手段とを有し、
前記加熱手段に熱媒体を供給する前記個別流路部分に設けられる前記熱動弁を閉じる指令を与えた後、所定時間待機する待機工程と、
前記待機工程の後、前記加熱手段に熱媒体を供給する前記個別流路部分での熱媒体の温度が、前記吸込手段が吸い込む前記浴室内の空気の温度よりも設定値以上高ければ、当該熱動弁が正常に閉じていないと判定する検証工程とを有する熱供給システムの検査方法。
【請求項２】
前記検証工程によって前記熱動弁が正常に閉じていないと判定したことを報知する報知工程を有する請求項１に記載の熱供給システムの検査方法。
【発明の詳細な説明】
【技術分野】
【０００１】
本発明は、熱媒体を加熱する熱源機と、熱媒体が流れる熱媒体循環路とを備え、熱を消費する熱消費端末に対して、熱媒体循環路を介して熱媒体を供給できるように構成されている熱供給システムの検査方法に関する。
【背景技術】
【０００２】
特許文献１（特開２００１−２４８８４７号公報）には、熱媒体を加熱する熱源機（温水暖房装置１）と、熱媒体が流れる熱媒体循環路（温水往き配管１１、温水戻り配管１２）とを備え、熱を消費する熱消費端末（浴室暖房装置１）に対して、熱媒体循環路を介して熱媒体を供給できるように構成されている熱供給システムが記載されている。このような熱消費端末への熱媒体の供給を行う熱動弁が正常に閉じなくなる開故障が発生した場合、本来は熱媒体が流れない部分にも熱媒体が流れる、即ち、より多くの量の熱媒体を熱源機で加熱しなければならないため、通常よりも多くの熱エネルギーが必要となってしまう。
【０００３】
特許文献１に記載の熱供給システムでは、熱消費端末へ熱媒体を供給する流路を開閉する熱動弁の故障を自己診断することが記載されている。具体的には、この熱供給システムでは、特定の熱消費端末を運転していない場合において、その熱消費端末に熱媒体を供給する流路での熱媒の温度が所定温度（例えば６０℃）を超える場合には熱動弁が開故障であると判定される。つまり、本来ならば、熱媒体が流れておらず、低温であるはずの流路での熱媒体の温度に基づいて、熱動弁の故障を見つけようとしている。
【先行技術文献】
【特許文献】
【０００４】
【特許文献１】特開２００１−２４８８４７号公報
【発明の概要】
【発明が解決しようとする課題】
【０００５】
熱動弁が開故障しているとしても、その熱動弁の下流側を流れる熱媒の温度は様々な値になる。例えば、熱動弁が大きく開いたような開故障の場合、その熱動弁の下流側を流れる熱媒の温度は上流側から供給される熱媒体と同等の比較的高い温度になり、熱動弁が僅かに開いたような開故障の場合、高温の熱媒体が熱動弁の下流側に僅かしか流入しないため、その熱動弁の下流側を流れる熱媒の温度はそれほど高くならない。よって、特許文献１に記載の熱供給システムにおいて上記所定温度が高く設定されていた場合には、熱動弁が僅かに開いたような開故障を検出できない可能性がある。
【０００６】
尚、特許文献１に記載の熱供給システムにおいて、熱動弁が僅かに開いたような開故障を検出できるように上記所定温度を低く設定することもできる。しかしながら、気温が高くなると、熱動弁が開いていなくても熱媒がその気温と同程度の高い温度になる。そのため、上記所定温度が低すぎる場合には、熱動弁に開故障が発生していなくても、熱媒の温度が上記所定温度を超える可能性もある。
【０００７】
以上のように、特許文献１に記載の熱供給システムのように、熱消費端末に熱媒体を供給する流路での熱媒の温度が所定温度（例えば６０℃）を超えるか否かを判定するだけのシステムでは、熱動弁の開故障を適切に検出できない可能性がある。
【０００８】
本発明は、上記の課題に鑑みてなされたものであり、その目的は、熱動弁の開故障を適切に検出できる熱供給システムの検査方法を提供する点にある。
【課題を解決するための手段】
【０００９】
上記目的を達成するための本発明に係る熱供給システムの検査方法の特徴構成は、熱媒体を加熱する熱源機と、熱媒体が流れる熱媒体循環路とを備え、熱を消費する熱消費端末に対して、前記熱媒体循環路を介して熱媒体を供給できるように構成されている熱供給システムの検査方法であって、
前記熱媒体循環路は、前記熱消費端末を経由させずに熱媒体を循環させることができる共通流路部分と、当該共通流路部分から複数の前記熱消費端末に向けて分岐し、途中に熱動弁がそれぞれ設けられる複数の個別流路部分とを有し、
複数の前記熱消費端末のうちの一つは、浴室内の空気を加熱できる浴室内加熱装置であり、
前記浴室内加熱装置は、前記浴室内の空気を吸い込む吸込手段と、前記個別流路部分を通して供給される熱媒体が保有する熱を用いて、前記吸込手段が吸い込んだ空気を加熱できる加熱手段と、前記吸込手段が吸い込み、前記加熱手段が加熱した空気を前記浴室内に吹き出すことができる吹出手段とを有し、
前記加熱手段に熱媒体を供給する前記個別流路部分に設けられる前記熱動弁を閉じる指令を与えた後、所定時間待機する待機工程と、
前記待機工程の後、前記加熱手段に熱媒体を供給する前記個別流路部分での熱媒体の温度が、前記吸込手段が吸い込む前記浴室内の空気の温度よりも設定値以上高ければ、当該熱動弁が正常に閉じていないと判定する検証工程とを有する点にある。
【００１０】
上記特徴構成によれば、待機工程において、加熱手段に熱媒体を供給する前記個別流路部分に設けられる前記熱動弁を閉じる指令を与えた後、所定時間待機し、その後、検証工程において、加熱手段に熱媒体を供給する前記個別流路部分での熱媒体の温度が、前記吸込手段が吸い込む前記浴室内の空気の温度よりも設定値以上高ければ、当該熱動弁が正常に閉じていないと判定する。つまり、熱動弁が正常に閉じられていれば、その熱動弁が設けられている個別流路部分には新たに熱媒体が流入しなくなる。そして、熱動弁が正常に閉じられていれば、待機工程が行われることで、その個別流路部分での熱媒体の温度が低下して、周囲の温度に近づく、即ち、浴室内の空気の温度に近づくはずである。それに対して、熱動弁が正常に閉じられていなければ、待機工程が行われたとしても、その個別流路部分に熱媒体が流れ込んだ場合には、測定される熱媒体の温度は低下せず、浴室内の空気の温度よりも高くなるはずである。このように、本特徴構成の検査方法では、個別流路部分での熱媒体の温度を浴室内の空気の温度と対比することで、熱動弁の開故障を適切に検出できる。
【００１１】
本発明に係る熱供給システムの検査方法の別の特徴構成は、前記検証工程によって前記熱動弁が正常に閉じていないと判定したことを報知する報知工程を有する点にある。
【００１２】
上記特徴構成によれば、報知工程において、検証工程によって前記熱動弁が正常に閉じていないと判定したことが報知される。つまり、報知された情報を見た利用者は、修理などを迅速に依頼できる。
【図面の簡単な説明】
【００１３】
【図１】熱供給システムの構成を示す図である。
【図２】熱消費端末としての浴室内加熱装置の構成を示す図である。
【図３】熱媒体の循環状態を例示する図である。
【図４】熱媒体の循環状態を例示する図である。
【図５】熱媒体の循環状態を例示する図である。
【発明を実施するための形態】
【００１４】
以下に図面を参照して本発明の実施形態に係る熱供給システムの検査方法について説明する。
図１は、熱供給システムの構成を示す図である。図２は、熱消費端末Ｈとしての浴室内加熱装置Ｈ１の構成を示す図である。図示するように、熱供給システムは、熱媒体を加熱する熱源機１と、熱媒体が流れる熱媒体循環路１０とを備え、熱を消費する熱消費端末Ｈに対して、熱媒体循環路１０を介して熱媒体を供給できるように構成されている。本実施形態の熱供給システムには、熱消費端末Ｈとして、高温熱消費端末Ｈ１と低温熱消費端末Ｈ２とが設けられ、熱動弁Ｖとして、高温側熱動弁Ｖ１と低温側熱動弁Ｖ２とがそれぞれの熱消費端末Ｈに対応して設けられる。本実施形態において、高温熱消費端末Ｈ１は、浴室内の空気を加熱できる浴室内加熱装置である。そして、熱媒体循環路１０は、熱消費端末Ｈを経由させずに熱媒体を循環させることができる共通流路部分１１と、当該共通流路部分１１から複数の熱消費端末Ｈに向けて分岐し、途中に熱動弁Ｖがそれぞれ設けられる複数の個別流路部分１５とを有している。
【００１５】
熱供給システムは、熱消費端末Ｈでの各種設定、運転開始指令、運転停止指令、運転予約などの情報の入力を利用者から受け付け、熱消費端末Ｈの運転状態などの情報を利用者に出力する情報入出力装置Ｄを備える。情報入出力装置Ｄは、例えば、台所の壁面などに設けられたリモコン装置等を用いて実現できる。
また、熱供給システムは、熱供給システムで取り扱われる情報を記憶する記憶装置Ｍを備える。
【００１６】
熱源機１は、燃焼室２の内部に燃焼器３を備える。燃焼器３には、燃料ガスがガス供給路４を通って供給され、空気がブロア５によって供給される。燃焼器３への燃料ガス及び空気の供給量は制御装置Ｃが制御する。燃焼室２では、燃焼器３で発生した燃焼熱が、熱媒体循環路１０を流れる熱媒体に伝達される。
【００１７】
熱媒体循環路１０での熱媒体の流動は、制御装置Ｃによって動作が制御されるポンプ７によって行われる。
共通流路部分１１は、熱媒体循環路１０のうち、ポンプ７で付勢された熱媒体が、共通流路部分１１の途中の分岐部８と熱源機１と分岐部９と合流部１７と暖房タンク６とを順に通って再びポンプ７に帰還する経路である。暖房タンク６は熱媒体循環路１０を循環する熱媒体が一時的に貯えられる部分であり、例えば、温度変化に伴う熱媒体の体積変化を吸収するために設置されている。図示は省略するが、暖房タンク６には熱媒体を補充するための補充流路が接続されており、この熱供給システムの稼働開始時や熱媒体の減少時などのタイミングで、熱媒体の供給や補充が行われる。
【００１８】
個別流路部分１５は、共通流路部分１１から高温熱消費端末Ｈ１に向けて分岐する高温側個別流路部分１２と、共通流路部分１１から低温熱消費端末Ｈ２に向けて分岐する低温側個別流路部分１３とを有する。また、高温熱消費端末Ｈ１及び低温熱消費端末Ｈ２で熱が消費された後の熱媒体は、帰還流路部分１４を通って共通流路部分１１の合流部１７へと帰還する。
【００１９】
高温側個別流路部分１２は、ポンプ７から見て、熱源機１よりも下流側の共通流路部分１１の分岐部９から分岐して高温熱消費端末Ｈ１に至る。高温側個別流路部分１２には高温側熱動弁Ｖ１が設けられる。高温側熱動弁Ｖ１の開閉動作は制御装置Ｃが制御する。このような構成を採用することで、高温側熱動弁Ｖ１が開いている場合には、熱媒体が共通流路部分１１から高温側個別流路部分１２へと分岐して流れ、高温熱消費端末Ｈ１で熱が消費された後の熱媒体が、帰還流路部分１４を通って共通流路部分１１の合流部１７へと帰還する。尚、高温側熱動弁Ｖ１が閉じている場合には、高温側個別流路部分１２に熱媒体は流れない。本実施形態では、高温側熱動弁Ｖ１の開閉動作は制御装置Ｃが制御する。
【００２０】
低温側個別流路部分１３は、ポンプ７から見て、熱源機１よりも上流側の共通流路部分１１の分岐部８から分岐して低温熱消費端末Ｈ２に至る。低温側個別流路部分１３には低温側熱動弁Ｖ２が設けられる。低温側熱動弁Ｖ２の開閉動作は制御装置Ｃが制御する。このような構成を採用することで、低温側熱動弁Ｖ２が開いている場合には、熱媒体が共通流路部分１１から低温側個別流路部分１３へと分岐して流れ、低温熱消費端末Ｈ２で熱が消費された後の熱媒体が、合流部１６及び帰還流路部分１４を通って共通流路部分１１の合流部１７へと帰還する。尚、低温側熱動弁Ｖ２が閉じている場合には、低温側個別流路部分１３に熱媒体は流れない。本実施形態では、低温側熱動弁Ｖ２の開閉動作は制御装置Ｃが制御する。
【００２１】
浴室内加熱装置（高温熱消費端末）Ｈ１は、浴室Ｒ内の空気を加熱できる装置、例えば浴室暖房乾燥装置などである。浴室内加熱装置（高温熱消費端末）Ｈ１は、本体ケーシング２０内に各種機器を備える。本実施形態において、浴室内加熱装置Ｈ１は浴室Ｒの天井に設置してある。本体ケーシング２０の下部と、浴室Ｒの天井との境界には、浴室Ｒ内から本体ケーシング２０内に吸い込まれる空気が通る吸込口２２と、本体ケーシング２０内から浴室Ｒ内に吹き出される空気が通る吹出口２４とが設けられている。
【００２２】
本体ケーシング２０は、例えば直方体形状の箱状に形成されている。そして、本体ケーシング２０内に、吸込口２２から吸い込んだ空気を吹出口２４から吹き出すように通風作用する循環ファン２６、吸込口２２から吸い込んだ空気を本体ケーシング２０外に排出するように通風作用する排気ファン３０、循環ファン２６により通風される空気を熱源機１から高温側個別流路部分１２（熱媒体循環路１０）を通して循環供給される熱媒体にて加熱する熱交換器２５等が設けられている。
【００２３】
本体ケーシング２０の内部には、吸込口２２を通して浴室Ｒ内の空気を吸い込んで吹出口２４を通して吹き出すための循環通風路２３が、導風板２１により区画形成されている。そして、この循環通風路２３の途中に、循環ファン２６が、吸込口２２から浴室Ｒ内の空気を吸い込む吸込み作用すると共に、その吸込口２２から吸い込んだ空気を吹出口２４に向けて吐出するように通風作用する状態で設けられている。
【００２４】
循環通風路２３の途中には、熱交換器２５も設けられている。この熱交換器２５は、循環通風路２３内における循環ファン２６よりも通風方向上流側に設けられて、熱源機１から循環供給される熱媒体との熱交換により、循環通風路２３内を通風する空気を加熱するよう構成されている。具体的には、熱源機１から高温側個別流路部分１２を通して熱交換器２５に対して熱媒体が供給され、熱交換器２５において熱媒体が有する熱が循環通風路２３内を通風する空気に伝達された後、相対的に低温になった熱媒体が帰還流路部分１４（熱媒体循環路１０）を通って共通流路部分１１に帰還する。このように、加熱手段としての熱交換器２５が作動しているとき、循環ファン２６の通風作用により、吸込口２２を通して吸い込まれた浴室Ｒ内の空気は熱交換器２５にて加熱され、その後、吹出口２４を通して加熱空気が浴室Ｒ内に吹き出される。そして、制御装置Ｃが熱動弁Ｖ１の開閉を切り換えることで、熱交換器２５の作動（空気を加熱する状態）及び停止（空気を加熱しない状態）が切り換えられる。
【００２５】
浴室温度センサ２８は、吸込口２２を通して吸い込まれた浴室Ｒ内の空気の温度を測定する。熱媒温度センサ３４は、高温熱消費端末Ｈ１に向けて熱媒体が流れる高温側個別流路部分１２の途中の、熱動弁Ｖ１の下流側での熱媒体の温度を測定する。浴室温度センサ２８及び熱媒温度センサ３４の測定結果は、制御装置Ｃに伝達される。
【００２６】
吹出口２４には、電動モータ（図示せず）により揺動駆動される可動ルーバー２７が設けられ、この可動ルーバー２７により、吹出口２４から浴室Ｒ内への空気の吹出方向を変更可能に構成されている。
【００２７】
排気ファン３０は、下面にファン吸込口３３を有するファンケース２９の内部に設けられている。ファンケース２９内に垂直方向の軸心回りに回転自在に支持された羽根体等を備えて構成されている。尚、図示を省略するが、ファンケース２９が形成された領域と上記導風板２１との間には、循環通風路２３内における熱交換器２５よりも通風方向上流側の部分に連通するように構成されている。そして、循環ファン２６が作動されている状態で、排気ファン３０が作動されると、循環ファン２６の通風作用により浴室Ｒから吸い込まれた空気の一部が、熱交換器２５により加熱される前に排気ファン３０の通風作用により分流され、分流された空気が排気口３１から排気導風ボックス及び排気ダクト３２を通して屋外に排出される。
また、循環ファン２６が停止されている状態で、排気ファン３０が作動されると、排気ファン３０の通風作用により浴室Ｒ内の空気が吸込口２２を通して吸い込まれ、浴室Ｒ内の空気が排気ダクト３２を通して屋外に排出される。
【００２８】
以上のように、本実施形態の浴室内加熱装置Ｈ１は、浴室内の空気を吸い込む吸込手段（循環ファン２６）と、個別流路部分１５を通して供給される熱媒体が保有する熱を用いて、吸込手段（循環ファン２６）が吸い込んだ空気を加熱できる加熱手段（熱交換器２５）と、吸込手段（循環ファン２６）が吸い込み、加熱手段（熱交換器２５）が加熱した空気を浴室内に吹き出すことができる吹出手段（循環ファン２６及び可動ルーバー２７）とを有する。
【００２９】
次に、図３〜図５を参照して熱媒体の循環状態を説明する。図３〜図５では、熱媒体が流動する部分を太線で描いている。
図３は、高温側熱動弁Ｖ１が閉じており且つ低温側熱動弁Ｖ２が閉じている場合での熱媒体の循環状態を示す図である。この場合、高温側熱動弁Ｖ１が閉じているため、高温側個別流路部分１２及び高温熱消費端末Ｈ１には熱媒体は流れない。同様に、低温側熱動弁Ｖ２が閉じているため、低温側個別流路部分１３及び低温熱消費端末Ｈ２には熱媒体は流れない。
【００３０】
図４は、高温側熱動弁Ｖ１が開いており且つ低温側熱動弁Ｖ２が閉じている場合での熱媒体の循環状態を示す図である。この場合、低温側熱動弁Ｖ２が閉じているため、低温側個別流路部分１３及び低温熱消費端末Ｈ２には熱媒体は流れない。それに対して、高温側熱動弁Ｖ１が開いているため、高温側個別流路部分１２及び高温熱消費端末Ｈ１には熱媒体が流れる。その結果、熱媒体は、共通流路部分１１を循環するのに加えて、共通流路部分１１の分岐部９から分岐して高温側個別流路部分１２を流れ、高温熱消費端末Ｈ１及び帰還流路部分１４を経由して、共通流路部分１１の合流部１７へと帰還する。
【００３１】
図４に示す熱媒体の循環状態は、高温熱消費端末Ｈ１が使用されている場合での循環状態である。この場合、制御装置Ｃは、熱源機１で加熱された後の熱媒体の温度（温度センサＴ２で測定される温度）が例えば８０℃になるように熱源機１を動作させる。その結果、高温熱消費端末Ｈ１には８０℃の熱媒体が供給されて、その熱が消費される。
【００３２】
図５は、高温側熱動弁Ｖ１が閉じており且つ低温側熱動弁Ｖ２が開いている場合での熱媒体の循環状態を示す図である。この場合、高温側熱動弁Ｖ１が閉じているため、高温側個別流路部分１２及び高温熱消費端末Ｈ１には熱媒体は流れない。それに対して、低温側熱動弁Ｖ２が開いているため、低温側個別流路部分１３及び低温熱消費端末Ｈ２には熱媒体が流れる。その結果、熱媒体は、共通流路部分１１を循環するのに加えて、共通流路部分１１の分岐部８から分岐して低温側個別流路部分１３を流れ、低温熱消費端末Ｈ２及び帰還流路部分１４を経由して、共通流路部分１１の合流部１７へと帰還する。
【００３３】
図５に示す熱媒体の循環状態は、低温熱消費端末Ｈ２が使用されている場合での循環状態である。この場合、低温側個別流路部分１３は熱源機１よりも上流側で共通流路部分１１から分岐しているため、低温熱消費端末Ｈ２には熱源機１で加熱された熱媒体が直接供給されることはなく、熱源機１で加熱された熱媒体と低温熱消費端末Ｈ２から帰還した熱媒体とが合流部１７で合流され、その合流後の熱媒体が低温熱消費端末Ｈ２に供給される。よって、制御装置Ｃは、温度センサＴ１で温度が測定される、合流部１７で合流された後の熱媒体（即ち、低温熱消費端末Ｈ２に供給される熱媒体）の温度が例えば６０℃になるように熱源機１を動作させる。その結果、低温熱消費端末Ｈ２には６０℃の熱媒体が供給されて、その熱が消費される。
【００３４】
尚、図示は省略するが、高温熱消費端末Ｈ１及び低温熱消費端末Ｈ２の両方が使用されている場合には、高温側熱動弁Ｖ１及び低温側熱動弁Ｖ２の両方が開いており、高温側個別流路部分１２及び高温熱消費端末Ｈ１には熱媒体が流れ、低温側個別流路部分１３及び低温熱消費端末Ｈ２にも熱媒体が流れる。そして、高温熱消費端末Ｈ１及び低温熱消費端末Ｈ２から熱媒体が合流部１７へと帰還する。
【００３５】
次に、熱動弁Ｖ１が正常であるか否かを検証するための本実施形態の熱供給システムの検査方法について説明する。
【００３６】
制御装置Ｃは、浴室内加熱装置Ｈ１の運転を停止する場合、熱動弁Ｖ１を閉じる指令を与え、循環ファン２６の動作を停止させる。加えて、制御装置Ｃは、排気ファン３０及び可動ルーバー２７を動作させていた場合にはそれらの動作を停止させる。
【００３７】
また、浴室内加熱装置Ｈ１の運転を停止することで、全ての熱消費端末Ｈの運転が停止されることになる場合には、熱源機１の運転を停止すると共に、ポンプ７の運転を停止させる。尚、他の熱消費端末Ｈが動作中である場合には、熱源機１及びポンプ７の運転を継続して、熱媒体循環路１０での熱媒体の循環を継続する。但し、熱源機１及びポンプ７が運転しているか否かに関わらず、熱動弁Ｖ１が正常に閉じられると、浴室内加熱装置Ｈ１には熱媒体は供給されないため、熱媒温度センサ３４で測定される熱媒体の温度は次第に低下するはずである。
【００３８】
そして、制御装置Ｃは、加熱手段（熱交換器２５）に熱媒体を供給する高温側個別流路部分１２に設けられる熱動弁Ｖ１を閉じる指令を与えた後、所定時間待機する（待機工程）。つまり、待機工程の間に、熱媒温度センサ３４で測定される熱媒体の温度は次第に低下する。この待機工程の実施期間（上記所定期間）は、例えば、熱動弁Ｖ１が正常に閉じられていた場合に、熱媒温度センサ３４で測定される熱媒体の温度が浴室Ｒの温度にまで低下するのに要する期間以上に設定しておけばよい。
【００３９】
制御装置Ｃは、所定時間待機した後（待機工程の後）、加熱手段（熱交換器２５）に熱媒体を供給する高温側個別流路部分１２での熱媒体の温度が、吸込手段（循環ファン２６）が吸い込む浴室Ｒ内の空気の温度よりも設定値以上高ければ、熱動弁Ｖ１が正常に閉じていないと判定する（検証工程）。具体的には、制御装置Ｃは、熱媒温度センサ３４の測定結果により、加熱手段（熱交換器２５）に熱媒体を供給する高温側個別流路部分１２での熱媒体の温度を知ることができ、浴室温度センサ２８の測定結果により、吸込手段（循環ファン２６）が吸い込む浴室Ｒ内の空気の温度を知ることができる。
【００４０】
熱動弁Ｖ１が正常に閉じられた場合、熱媒温度センサ３４で測定される熱媒体の温度は次第に低下し、周囲の温度に近付くはずである。例えば、熱媒温度センサ３４で測定される熱媒体の温度は、浴室温度センサ２８で測定される温度に近付くはずである。そこで、制御装置Ｃは、熱媒温度センサ３４で測定される熱媒体の温度が、浴室温度センサ２８で測定される温度よりも設定値以上高くなければ、即ち、両者の温度差が比較的小さければ、熱動弁Ｖ１が正常に閉じていると判定する。
【００４１】
それに対して、熱動弁Ｖ１が正常に閉じられていない場合、熱動弁Ｖ１を通って高温の熱媒体が高温側個別流路部分１２の途中に設けられる熱媒温度センサ３４の付近に流れ込むと、熱媒温度センサ３４で測定される熱媒体の温度は、浴室温度センサ２８で測定される温度よりも比較的高くなる。そこで、制御装置Ｃは、熱媒温度センサ３４で測定される熱媒体の温度が、浴室温度センサ２８で測定される温度よりも設定値以上高ければ、即ち、両者の温度差が比較的大きければ、熱動弁Ｖ１が正常に閉じていないと判定する。このように、本実施形態の検査方法では、高温側個別流路部分１２での熱媒体の温度を浴室Ｒ内の空気の温度と対比することで、熱動弁Ｖ１の開故障を適切に検出できる。
【００４２】
以上のような熱供給システムの検査方法は、待機工程及び検証工程の機能を実行するためのプログラムを記憶装置Ｍに記憶しておき、例えば制御装置Ｃがそのプログラムを読み出して実行することで行われる。制御装置Ｃは、高温熱消費端末Ｈ１の運転を停止している間、これら待機工程及び検証工程を設定タイミングで複数回行ってもよい。
【００４３】
そして、制御装置Ｃは、上記検証工程によって熱動弁が正常に閉じていないと判定した場合、その旨を報知する（報知工程）。例えば、制御装置Ｃは、情報入出力装置Ｄの表示部（図示せず）に、熱動弁Ｖ１の開故障を示すエラーコードを表示させる。その結果、情報入出力装置Ｄで報知された情報を見た利用者は、熱供給システムの販売者等に修理などを依頼できる。或いは、制御装置Ｃが、インターネットなどの情報通信網と接続されている場合には、熱供給システムの販売者等に熱動弁Ｖ１の開故障を示す情報を情報通信網を介して報知してもよい。
【００４４】
＜別実施形態＞
＜１＞
上記実施形態では、本発明の熱供給システムの検査方法について具体例を挙げて説明したが、その構成は適宜変更可能である。
例えば、上記実施形態では、熱供給システムから高温熱消費端末Ｈ１及び低温熱消費端末Ｈ２という２つの熱消費端末Ｈに熱媒体を供給する例を説明したが、３つ以上の熱消費端末Ｈに対して熱媒体を供給するような熱供給システムであっても構わない。
また、熱媒体循環路１０の構成や熱媒体循環路１０の途中に設けられる機器の種類や数なども、上記実施形態で説明したものから適宜変更可能である。
【００４５】
＜２＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４６】
本発明は、熱動弁の故障を適切に検出可能な熱供給システムに利用できる。
【符号の説明】
【００４７】
１  熱源機
１０  熱媒体循環路
１１  共通流路部分
１２  高温側個別流路部分（個別流路部分  １５）
１３  低温側個別流路部分（個別流路部分  １５）
２５  熱交換器（加熱手段）
２６  循環ファン（吸込手段、吹出手段）
２７  可動ルーバー（吹出手段）
Ｈ  熱消費端末
Ｈ１  高温熱消費端末（浴室内加熱装置）
Ｈ２  低温熱消費端末
Ｒ  浴室
Ｖ１  高温側熱動弁（熱動弁  Ｖ）
Ｖ２  低温側熱動弁（熱動弁  Ｖ）
【図１】
2020056543.tif 000003
【図２】
2020056543.tif 000004
【図３】
2020056543.tif 000005
【図４】
2020056543.tif 000006
【図５】
2020056543.tif 000007